(57)【要約】  組み立て及び分解を簡単に行うことができる玩具用折り畳み式の紙引き出しであって、持ち運びが容易。リサイクルが可能な紙で引き出しを製造することにより、安価で生産することができる。引き出しは、後面の壁体と、折り畳み式の側壁と、切欠溝とにより形成される本体と、本体に挿入される突出部を有する仕切り板と、前記仕切り板の間に挿入され、品物を収納する収納部と、前記収納部を開閉するために前記収納部の前側に取り付けられた取っ手と、前記本体の外側において、本体の左側から前記仕切り板の突出部に固定されるように一側が開放された固定手段と、前記本体の上端及び下端に固定され、前記本体を補強する補強手段とから構成されている。本体が紙を折り曲げて互いに組み合わされている、また、全ての仕切りが固定手段によって支持されている、そこで、引き出しを簡単に組み立て及び分解できる。側壁と仕切りは２重に折り曲げされており２層になっていて堅牢さが高められている。玩具用折り畳み式の紙引き出しは軽く、組み立て及び分解を簡単に行うことができ、他の場所に移動するのに便利である。
2008501469.tif 000002
【特許請求の範囲】
【請求項１】
後面の壁体と、前記後面の壁体の両側端から延在して折曲される１対の側面の壁体と、前記後面の壁体と側面の壁体に一直線に複数列切り欠かれた切欠溝とにより形成される本体と、
前記本体１０の内側において前記切欠溝１３に挿入される仕切り板の突出部２１が形成される仕切り板２０と、
前記仕切り板２０の間に挿入され、品物を収納するために引き出し式に形成される収納部３０と、
前記収納部３０を開閉するために前記収納部３０の一側に取り付けられた取っ手４０と、
前記本体１０の外側において、前記仕切り板２０の仕切り板の突出部２１に固定されるように一側が開放された固定手段５０と、
前記本体１０の上端及び下端に固定され、前記本体１０を補強する補強手段６０とから構成されていることを特徴とする玩具用折り畳み式の紙引き出し。
【請求項２】
前記本体１０は、後面の壁体１１と側面の壁体１２との間に折曲線１４と折畳線１５とが形成されており、内側には直角に折曲され、外側には前記側面の壁体１２が後面の壁体１１に密着されるように折り畳まれることを特徴とする請求項１に記載の玩具用折り畳み式の紙引き出し。
【請求項３】
前記本体１０と仕切り板２０は、２重に折曲されており、その間は接着剤で結合されることを特徴とする請求項１または請求項２に記載の玩具用折り畳み式の紙引き出し。
【請求項４】
前記収納部３０は、内側に四角形状の底面３１と、前記底面３１の両側端から延在して直角に折曲される側面部３２と、前記底面３１の前端から延在して直角に折曲される前面部３３と、前記底面３１の後端から延在して直角に折曲される後面部３４と、前記前面部３３の内側に複数個穿孔された挿入孔３５とから構成されることを特徴とする請求項１に記載の玩具用折り畳み式の紙引き出し。
【請求項５】
前記側面部３２は、前記底面３１の両側端から延在して折曲される第１側面３２ａと、前記第１側面３２ａから延在して前記第１側面３２ａと対向して密着される第２側面３２ｂと、前記第２側面３２ｂから延在して折曲されて底面に密着される第３側面３２ｃと、前記第１側面３２ａの両側から延在して折曲されて前記前面部３３と後面部３４の内側に挿入される第１側面の挿入部３２ｄと、前記第２側面３２ｂの両側から延在して折曲されて前記前面部３３と後面部３４の内側に挿入される第２側面の挿入部３２ｅとから構成されており、
前記前面部３３は、前記底面３１の前端から延在して折曲される第１前面３３ａと、前記第１前面３３ａから延在して前記第１前面３３ａと対向して密着される第２前面３３ｂと、前記第２前面３３ｂから延在して折曲されて底面に密着される第３前面３３ｃとから構成されており、
前記後面部３４は、前記底面の後端から延在して折曲される第１後面３４ａと、前記第１後面３４ａから延在して前記第１後面３４ａと対向して密着される第２後面３４ｂと、前記第２後面３４ｂから延在して折曲されて底面に密着される第３後面３４ｃとから構成されることを特徴とする請求項４に記載の玩具用折り畳み式の紙引き出し。
【請求項６】
前記取っ手４０は、前記収納部３０の挿入孔３５に挿入されて固定される矢印形状の係止部４１と、前記係止部４１と延在して把持される把持部４２とから構成されることを特徴とする請求項１に記載の玩具用折り畳み式の紙引き出し。
【請求項７】
前記固定手段５０は、前記仕切り板の突出部２１の両側面に傾斜している傾斜部と一致するようにテーパが形成された固定部５１と、前記固定部５１の挿入が容易になるように両側面に対向して切開された切開溝５２と、前記固定部５１の回転が容易になるように穿孔された切開孔５３とにより形成されることを特徴とする請求項１に記載の玩具用折り畳み式の紙引き出し。
【請求項８】
前記補強手段６０は、前記本体１０の上下端に安着される補強本体６１と、前記補強本体６１の両側端から延在して突出されて本体１０の上側に密着される本体の密着部６２と、前記本体の密着部６２の間において、前記本体１０から延在して突出されて前記本体１０の端面部の間に挿入される本体の挿入部６３とから構成されることを特徴とする請求項１に記載の玩具用折り畳み式の紙引き出し。
【発明の詳細な説明】
【技術分野】
【０００１】
本発明は、玩具用折り畳み式の紙引き出しに関し、より詳細には、構成部品を折り畳み式に形成し、コンパクト化を実現するとともに、取り扱い及び持ち運びが容易であり、また、リサイクルが可能な紙で引き出しを製造することにより、安価で生産することができるとともに、環境汚染を最小限に抑えることのできる玩具用折り畳み式の紙引き出しに関する。
【背景技術】
【０００２】
一般に、玩具用の引き出しは、おもちゃや人形など様々な物品を収納するために使用している。このように、引き出しは様々な機能を有しており、使用者のニーズも多くなってきた。
【０００３】
通常、従来の引き出しの製造には、金属や木材または合成樹脂が使用されていた。しかしながら、前記金属や木材により製造された玩具用の引き出しは、原材料の準備から加工及び出荷段階までの製造工程が複雑であり、これに伴って材料費用及び加工費用が上昇して製造コストが高価であり、原材料がそれ自体重量物であるため、製造工程段階から出荷段階までの取り扱い及び運搬が面倒である。また、廃棄時にリサイクルができなかったり、高価な処理費用がかかるなどの問題点があった。
【０００４】
また、合成樹脂により製造された玩具用の引き出しは、金属や木材により製造された玩具用の引き出しと比べて、材料費用が安価で、重量も軽くて、取り扱い及び運搬が容易である反面、外部衝撃に弱く、廃棄時にリサイクルがほとんど不可能であり、環境汚染の問題を有する。
【０００５】
特に、前述のような引き出しは、様々な部品などから構成されており、その組み立て及び分解が難しい構造を有し、使用者が自由に該構造を変更することが不可能であるという問題点があった。
【発明の開示】
【発明が解決しようとする課題】
【０００６】
そこで、本発明は、上記従来の問題点に鑑みてなされたものであって、本発明の目的は、折り畳み式に形成し、コンパクト化を実現するとともに、分解及び組み立てが簡単で、取り扱い及び運搬が容易であり、また、リサイクルが可能な紙で製造することにより、安価で生産することができ、廃棄費用を最小に抑えることのできる玩具用折り畳み式の紙引き出しに関する。
【課題を解決するための手段】
【０００７】
上記目的を達成するためになされた本発明による玩具用折り畳み式の紙引き出しは、後面の壁体と、前記後面の壁体の両側端から延在して折曲される１対の側面の壁体と、前記後面の壁体と側面の壁体において一直線に複数列切り欠かれた切欠溝とにより形成される本体と、前記本体の内側において、前記切欠溝に挿入される仕切り板の突出部が形成される仕切り板と、前記仕切り板の間に挿入され、品物を収納するために引き出し式に形成された収納部と、前記収納部を開閉するために前記収納部の一側に取り付けられる取っ手と、前記本体の外側において、前記仕切り板の仕切り板の突出部に固定されるように一側が開放された固定手段と、前記本体の上端及び下端に固定され、前記本体を補強する補強手段とから構成されていることを特徴とする。
【０００８】
前記本体は、後面の壁体と側面の壁体との間に折曲線と折畳線とが形成されており、内側に直角に折曲され、外側に前記側面の壁体が後面の壁体に密着するように折り畳まれることを特徴とする。
【０００９】
前記本体と仕切り板は、２重に折曲されており、その間は接着剤で結合されることが望ましい。
【００１０】
前記収納部は、内側に四角形状の底面と、前記底面の両側端から延在して直角に折曲される側面部と、前記底面の前端から延在して直角に折曲される前面部と、前記底面の後端から延在して直角に折曲される後面部とを有している。また、複数個の穿孔された挿入孔が前記前面部の内側に沿って配列されている。
【００１１】
前記側面部は、前記底面の両側端から延在して折曲される第１側面と、前記第１側面から延在して前記第１側面と対向して密着される第２側面と、前記第２側面から延在して折曲されて底面に密着される第３側面と、前記第１側面の両側から延在して折曲されて前記前面部と後面部の内側に挿入される第１側面の挿入部と、前記第２側面の両側から延在して折曲されて前記前面部と後面部の内側に挿入される第２側面の挿入部とから構成されている。
【００１２】
前記前面部は、前記底面の前端から延在して折曲される第１前面と、前記第１前面から延在して前記第１前面と対向して密着される第２前面と、前記第２前面から延在して折曲されて底面に密着される第３前面とから構成されている。
【００１３】
前記後面部は、前記底面の後端から延在して折曲される第１後面と、前記第１後面から延在して前記第１後面と対向して密着される第２後面と、前記第２後面から延在して折曲されて底面に密着される第３後面とから構成されていることを特徴とする。
【００１４】
前記取っ手は、前記収納部の挿入孔に挿入されて固定される矢印形状の係止部と、前記係止部と延在して把持される把持部とから構成されていることを特徴とする。
【００１５】
前記固定手段は、前記仕切り板の突出部の両側面に傾斜している傾斜部と一致するようにテーパが形成された固定部と、前記固定部の挿入が容易になるように両側面に対向して切開された切開溝と、前記固定部の回転が容易になるように穿孔された切開孔とにより形成されることを特徴とする。
【００１６】
前記補強手段は、前記本体の上下端に安着される補強本体と、前記補強本体の両側端から延在して突出して前記本体の上側に密着される本体の密着部と、前記本体の密着部の間において、前記本体から延在して突出して２重の前記本体の端面部の間に挿入される本体の挿入部とから構成されていることを特徴とする。
【発明を実施するための最良の形態】
【００１７】
次に、本発明の最良の形態の実施例を図面を参照しながら説明する。
【００１８】
図１は、本発明による一実施例の斜視図であり、図２は、図１の一部の分解斜視図であり、図３は、本体の展開図であり、図４は、本体の折り畳む状態を示した断面図であり、図５は、引き出しの展開図であり、図６は、取っ手の斜視図であり、図７は、固定手段の断面図であり、図８は、補強手段の斜視図である。
【００１９】
図１及び図２に示すように、本発明による玩具用折り畳み式の紙引き出しは、本体１０と、前記本体１０の内側に固定される仕切り板２０と、前記仕切り板２０の間に品物が収納される収納部３０と、前記収納部３０を開閉するために前記収納部の前端に取り付けられる取っ手４０と、前記本体１０の外側において、前記仕切り板２０の仕切り板の突出部２１に固定される固定手段５０と、前記本体１０の上端及び下端に固定される補強手段６０とから構成されている。
【００２０】
図３及び図４に示すように、前記本体１０は、後面の壁体１１と、前記後面の壁体１１の両側端から延在して折曲される１対の側面の壁体１２と、前記後面の壁体１１と側面の壁体１２に一直線に５列切り欠かれた切欠溝１３により形成されている。
【００２１】
前記本体１０は、後面の壁体１１と側面の壁体１２との間に、折曲線１４と折畳線１５とが形成されており、内側に直角に折曲され、外側に前記側面の壁体１２が後面の壁体１１に密着されて折り畳まれるように形成されている。前記本体１０と仕切り板２０は、２重に折曲されており、その間は接着剤で結合されることが望ましい。
【００２２】
図５に示すように、前記収納部３０は、内側に四角形状の底面３１と、前記底面３１の両側端から延在して直角に折曲される側面部３２と、前記底面の前端から延在して直角に折曲される前面部３３と、前記底面の後端から延在して直角に折曲される後面部３４と、前記前面部３３の内側に４つ穿孔された挿入孔３５とにより形成されている。
【００２３】
前記側面部３２は、前記底面３１の両側端から延在して折曲される第１側面３２ａと、前記第１側面３２ａから延在して前記第１側面と対向して密着される第２側面３２ｂと、前記第２側面３２ｂから延在して折曲されて底面に密着される第３側面３２ｃと、前記第１側面３２ａの両側から延在して折曲されて前記前面部３３と後面部３４の内側に挿入される第１側面の挿入部３２ｄと、前記第２側面３２ｂの両側から延在して折曲されて前記前面部３３と後面部３４の内側に挿入される第２側面の挿入部３２ｅとにより形成されている。
【００２４】
また、前記前面部３３は、前記底面３１の前端から延在して折曲される第１前面３３ａと、前記第１前面３３ａから延在して前記第１前面３３ａと対向して密着される第２前面３３ｂと、前記第２前面３３ｂから延在して折曲されて底面に密着される第３前面３３ｃとにより形成されている。
【００２５】
そして、前記後面部３４は、前記底面から延在して折曲される第１後面３４ａと、前記第１後面３４ａから延在して前記第１後面３４ａと対向して密着される第２後面３４ｂと、前記第２後面３４ｂから延在して折曲されて底面に密着される第３後面３４ｃとにより形成されている。
【００２６】
図６に示すように、前記取っ手４０は、両端に矢印形状の係止部４１が形成されており、前記挿入孔３５に挿入する場合は、尖った部分が前記挿入孔３５に容易に挿入され、前記挿入孔３５から脱去する場合は、矢印形状の両側の翼部にかかって脱去されないので、取っ手４０のバーを形成する把持部４２を利用して前記収納部５０を開閉することができる。
【００２７】
図７に示すように、前記固定手段５０は、前記仕切り板の突出部２１の両側面に傾斜している傾斜部と一致するようにテーパが形成された固定部５１と、前記固定部５１の挿入が容易になるように両側面と対向して切開された切開溝５２と、前記固定部５１の回転が容易になるように穿孔された切開孔５３とにより形成されている。
【００２８】
図８に示すように、前記補強手段６０は、前記本体１０の上下端に安着される補強本体６１と、前記補強本体６１の両側端から延在して突出して前記本体１０の上側に密着される本体の密着部６２と、前記本体の密着部６２の間において、前記本体１０から延在して突出して２重の前記本体１０の端面部の間に挿入される本体の挿入部６３とにより形成されている。
【００２９】
このような構成を有する本発明による玩具用折り畳み式の紙引き出しの作用を以下に述べる。
【００３０】
図１〜図４に示すように、本発明による玩具用折り畳み式の紙引き出しを組み立てる際には、前記本体１０の後面の壁体１１の両側端から延在して折曲される１対の側面の壁体１２を内側に折り畳む。この時、前記本体１０は、後面の壁体１１と側面の壁体１２との間に形成された折曲線１４と折畳線１５とによって直角に折り畳まれる。そして、前記後面の壁体１１と側面の壁体１２に一直線に５列切り欠かれた切欠溝１３に前記仕切り板の突出部２１を挿入し、前記後面の壁体１１と側面の壁体１２の後面に突出された前記仕切り板の突出部２１に固定手段５０を挿入して固定する。この時、前記本体１０と仕切り板２０は、２重に折曲されており、その間は接着剤で結合されることによって強度を増加させることができる。
【００３１】
また、品物を収納するための引き出し式の前記収納部３０を４つ前記仕切り板２０の間に安着させ、前記本体１０の上端及び下端に補強手段６０を固定することによって誰もが簡単に組み立てることができる。
【００３２】
図５に示すように、前記収納部３０は、内側に四角型の底面３１の両側端から延在した側面部３２が直角に折曲されており、前記底面３１の前端から延在した前面部３３が直角に折曲されており、前記底面３１の後端から延在した後面部３４が直角に折曲されて引き出し式に形成されている。このように、内側の収納空間におもちゃなど様々な物品を収納して使用することができる。
【００３３】
図６に示すように、前記取っ手４０は、両端に矢印形状の係止部４１が形成されており、前記挿入孔３５に挿入する場合は、尖った部分が前記挿入孔３５に容易に挿入され、前記挿入孔３５から脱去する場合は、矢印形状の両側の翼部にかかって脱去されないので、取っ手４０のバーを形成する把持部４２を利用して前記収納部５０を開閉することができる。
【００３４】
図７に示すように、前記固定手段５０の固定部５１は、前記仕切り板の突出部２１の両側面に傾斜している傾斜部と一致するようにテーパが形成されており、前記仕切り板の突出部２１と密着されて安全に固定され、前記固定部５１の両側面に対向して切開された切欠溝５２は、前記固定部５１を容易に挿入し、前記固定部５１の側面に穿孔された切開孔５３は、前記固定部５１を容易に回転させる。
【００３５】
図８に示すように、前記補強手段６０は、前記本体１０の上端及び下端に固定されており、凹凸形状の前記補強本体６１の両側端から延在して突出された前記密着部６２が端面部に密着され、２重の端面の間に挿入される前記挿入部６３が密着されて固定されることによって、２重で分離されている端面が完璧に補強される。このようにして、持ち運ぶ時に外部から衝撃を受けたり、使用中に端面に過度な荷重が作用したり、あるいは不注意などで水に濡れたりする場合にも、前記補強手段６０により水分などで端面部が損傷されることを事前に防止することができる。
【００３６】
尚、本発明は、本発明の属する技術分野における通常の知識を有する者であれば、本発明の技術的範囲から逸脱しない範囲内で多様に置換、変形及び変更を行うことが可能である。よって、上述の実施例及び図面に限られるものではない。
【図面の簡単な説明】
【００３７】
【図１】本発明による一実施例による組み立て状態を示した斜視図。
【図２】図１の一部の分解斜視図。
【図３】本体の展開図。
【図４】本体の折り畳み状態を示した断面図。
【図５】引き出しの展開図。
【図６】取っ手の斜視図。
【図７】固定手段の断面図。
【図８】補強手段の斜視図。
【図１】
2008501469.tif 000003
【図２】
2008501469.tif 000004
【図３】
2008501469.tif 000005
【図４】
2008501469.tif 000006
【図５】
2008501469.tif 000007
【図６】
2008501469.tif 000008
【図７】
2008501469.tif 000009
【図８】
2008501469.tif 000010
【国際調査報告】
2008501469.tif 000011
2008501469.tif 000012